(57)【要約】      （修正有）【課題】ユーザー自身が経路を選択するためにサポートを行うウェアラブル機器を提供する。【解決手段】ユーザーの現在位置を測定する測位部と、ユーザーが実施する運動に関する運動データを取得するセンサー部と、分岐点の位置情報を含む地図データを記憶する記憶部と、情報を出力する出力部と、測位部、センサー部、記憶部及び前記出力部を制御する制御部と、を備える。制御部は、運動データに基づいて現時点までの運動情報を算出し、現時点までの運動情報と地図データとに基づいて、現時点以降の運動情報を含む数値情報を算出し、ユーザーの現在位置とユーザーの進行方向に位置する分岐点との距離が所定の距離以下になると、分岐点を第１の方向へ進んだときの第１の前記数値情報と、分岐点を第１の方向とは異なる第２の方向へ進んだときの第２の数値情報と、を出力部に出力する。【選択図】図２
2019117492.tif 000002
【特許請求の範囲】
【請求項１】
ユーザーの現在位置を測定する測位部と、
前記ユーザーが実施する運動に関する運動データを取得するセンサー部と、
分岐点の位置情報を含む地図データを記憶する記憶部と、
情報を出力する出力部と、
前記測位部、前記センサー部、前記記憶部、及び前記出力部を制御する制御部と、を備え、
前記制御部は、
前記運動データに基づいて現時点までの運動情報を算出し、
前記現時点までの運動情報と前記地図データとに基づいて、現時点以降の運動情報を含む数値情報を算出し、
前記現在位置と前記ユーザーの進行方向に位置する分岐点との距離が所定の距離以下になると、前記分岐点を第１の方向へ進んだときの第１の前記数値情報と、前記分岐点を前記第１の方向とは異なる第２の方向へ進んだときの第２の前記数値情報と、を前記出力部に出力することを特徴とするウェアラブル機器。
【請求項２】
請求項１において、
前記地図データは、道路の勾配に関する勾配情報を含み、
前記制御部は、前記現時点までの運動情報及び前記勾配情報に基づいて、前記数値情報を算出することを特徴とするウェアラブル機器。
【請求項３】
請求項１において、
外部機器と通信する通信部を備え、
前記通信部は、前記外部機器から前記地図データ及び道路交通情報を含む周辺情報を取得し、
前記制御部は、前記周辺情報を前記記憶部に記憶させることを特徴とするウェアラブル機器。
【請求項４】
請求項１において、
前記出力部は、表示パネルを備える表示装置であることを特徴とするウェアラブル機器。
【請求項５】
請求項４において、
前記制御部は、前記現在位置と前記分岐点との距離が所定の距離以上になると、前記表示装置に表示されている第１の前記数値情報と第２の前記数値情報の表示を消すことを特徴とするウェアラブル機器。
【請求項６】
請求項４または５において、
前記表示パネルの表示エリアは、前記分岐点における分岐数に分割されて前記数値情報が表示されることを特徴とするウェアラブル機器。
【請求項７】
請求項１から６のいずれか一項において、
外部からの指示を受け付ける入力部を備えることを特徴とするウェアラブル機器。
【発明の詳細な説明】
【技術分野】
【０００１】
本発明は、運動情報を提供するウェアラブル機器に関する。
【背景技術】
【０００２】
特許文献１には、ユーザーの運動をモニタリングして、運動データを生成し、運動データやユーザーの要求に基づきフィードバック、挑戦、激励等のデータを提供することで、ユーザーのモチベーションを向上させるモバイルデバイスが開示されている。
【０００３】
さらに、特許文献１には、モバイルデバイスを装着したユーザーが運動するときに目的地を決め、そこに至るまでの経路を提案するシステムも開示されている。
【先行技術文献】
【特許文献】
【０００４】
【特許文献１】特開２０１７−１４２８１９号公報
【発明の概要】
【発明が解決しようとする課題】
【０００５】
前述のように、始めに目的地を決めてそこに至る経路を提案するシステムは公知である。しかしながら、ユーザーが目的地を決めずに自由に走ったときに、「こちらの道は運動強度が高い」「こちらの道は車通りが少ない」などの情報を提示して、ユーザー自身が経路を選択するためにサポートを行うシステムは、なかった。
【課題を解決するための手段】
【０００６】
本発明は、上述の課題の少なくとも一部を解決するためになされたものであり、以下の形態または適用例として実現することが可能である。
【０００７】
［適用例１］
本適用例に係るウェアラブル機器は、ユーザーの現在位置を測定する測位部と、前記ユーザーが実施する運動に関する運動データを取得するセンサー部と、分岐点の位置情報を含む地図データを記憶する記憶部と、情報を出力する出力部と、前記測位部、前記センサー部、前記記憶部、及び前記出力部を制御する制御部と、を備え、前記制御部は、前記運動データに基づいて現時点までの運動情報を算出し、前記現時点までの運動情報と前記地図データとに基づいて、現時点以降の運動情報を含む数値情報を算出し、前記現在位置と前記ユーザーの進行方向に位置する分岐点との距離が所定の距離以下になると、前記分岐点を第１の方向へ進んだときの第１の前記数値情報と、前記分岐点を前記第１の方向とは異なる第２の方向へ進んだときの第２の前記数値情報と、を前記出力部に出力することを特徴とする。
【０００８】
本適用例によれば、ウェアラブル機器は、ユーザーの現在位置を測定する測位部と、ユーザーが実施する運動に関する運動データを取得するセンサー部と、分岐点の位置情報を含む地図データを記憶する記憶部と、情報を出力する出力部と、各部を制御する制御部を備える。制御部は、運動データに基づいて現時点までの運動情報を算出し、現時点までの運動情報と地図データとに基づいて現時点以降の運動情報を示す数値情報とを算出する。そして、ユーザーの現在位置とユーザーの進行方向における分岐点との距離が所定の距離以下になると、分岐点を第１の方向へ進んだときの第１の数値情報と、分岐点を第１の方向とは異なる第２の方向へ進んだときの第２の数値情報と、を出力部に出力する。
そのため、ウェアラブル機器は、ユーザーが分岐点に差し掛かったとき、ユーザーの操作なしで数値情報を出力部に出力することができる。その結果、ユーザーは、運動中にウェアラブル機器を操作する必要がなく、出力部に出力された数値情報を確認しつつ運動を続けることができる。
また、分岐点のそれぞれの経路を選択した際の今後の運動情報を数値情報として出力することで、ユーザーに対して分岐点でどちらの経路を選択するとよいかの指標を示すことができる。その結果、ユーザーは、目的地を設定せずに運動を始めたとき、ウェアラブル機器の前記出力部から通知される数値情報を元に自分の目的に合った経路はどちらかを選ぶことができる。
【０００９】
［適用例２］
上記適用例において、前記地図データは、道路の勾配に関する勾配情報を含み、前記制御部は、前記現時点までの運動情報及び前記勾配情報に基づいて、前記数値情報を算出することが好ましい。
【００１０】
本適用例によれば、地図データは、道路の勾配に関する勾配情報を含み、制御部は、現時点までの運動情報及び勾配情報に基づいて、数値情報を算出する。
そのため、数値情報の計算に勾配情報が含まれ、数値情報の精度が高まる。その結果、ユーザーは、勾配情報も考慮された精度の高い数値情報を元に、自分の目的に合った経路を選択することができる。
【００１１】
［適用例３］
上記適用例において、外部機器と通信する通信部を備え、前記通信部は、前記外部機器から前記地図データ及び道路交通情報を含む周辺情報を取得し、前記制御部は、前記周辺情報を前記記憶部に記憶させることが好ましい。
【００１２】
本適用例によれば、ウェアラブル機器は、外部機器と通信する通信部を備え、通信部は、外部機器から地図データ及び道路交通情報を含む周辺情報を取得し、制御部は、周辺情報を記憶部に記憶させる。
そのため、ウェアラブル機器は、外部機器と通信することによって、適宜現在位置の周辺情報を記憶部に記憶することができる。その結果、ウェアラブル機器は、機器に記憶した周辺情報を元に、ユーザーに通知する数値情報を算出することができる。
【００１３】
［適用例４］
上記適用例において、前記出力部は、表示パネルを備える表示装置であることが好ましい。
【００１４】
本適用例によれば、出力部は、表示パネルを備える表示装置である。
そのため、制御部は、計算した運動情報を示す数値情報を、表示装置に表示することができる。その結果、ユーザーは、表示装置に表示された情報を視認して目的に合った経路を選ぶことができる。
【００１５】
［適用例５］
上記適用例において、前記制御部は、前記現在位置と前記分岐点との距離が所定の距離以上になると、前記表示装置に表示されている第１の前記数値情報と第２の前記数値情報の表示を消すことが好ましい。
【００１６】
本適用例によれば、制御部は、ユーザーの現在位置と分岐点との距離が所定の距離以上になると、表示装置に表示されている第１の数値情報と第２の数値情報の表示を消す。
そのため、ユーザーが数値情報を表示すべき分岐点から離れると、表示パネルの状態が分岐点に近づく前の状態に戻る。その結果、ユーザーの操作なしで表示が切り替わるため、ユーザーは、運動中にウェアラブル機器の操作に煩わされることなく、運動を続けることができる。
【００１７】
［適用例６］
上記適用例において、前記表示パネルの表示エリアは、前記分岐点における分岐数に分割されて前記数値情報が表示されることが好ましい。
【００１８】
本適用例によれば、表示パネルの表示エリアは、分岐点における分岐数に分割されて数値情報が表示される。そのため、任意の分岐数を持つ分岐点でも、分岐先毎に対応した数値情報が不足なく表示パネルに表示される。
その結果、数値情報が読み取りやすくなり、分岐数が多い分岐点でもユーザーはそれぞれの経路に表示された数値情報を元に経路を選択することができる。
【００１９】
［適用例７］
上記適用例において、ウェアラブル機器は、外部からの指示を受け付ける入力部を備えることを特徴とする。
【００２０】
本適用例によれば、ウェアラブル機器は、外部からの指示を受け付ける入力部を備える。それにより、制御部は、入力部からの指示に基づき処理を行うことができる。その結果、ユーザーは、入力部からウェアラブル機器の操作を行うことができる。
【図面の簡単な説明】
【００２１】
【図１】ウェアラブル機器を含む数値情報表示システムの構成図。
【図２】ウェアラブル機器の機能ブロック図。
【図３】ウェアラブル機器の表示例を示す図。
【図４Ａ】ウェアラブル機器の制御を示すフローチャート。
【図４Ｂ】ウェアラブル機器の制御を示すフローチャート。
【図５】ウェアラブル機器の他の表示例を示す図。
【図６】ウェアラブル機器の他の表示例を示す図。
【図７】ウェアラブル機器の制御を示すフローチャート。
【発明を実施するための形態】
【００２２】
以下、本発明の実施形態について、図面を参照して説明する。なお、以下の説明で参照する図面では、説明及び図示の便宜上、部材ないし部分の縦横の縮尺を実際のものとは異なるように表す場合がある。また、説明に必要な構成要素以外は、図示を省略する場合がある。
【００２３】
（実施形態）
本実施形態では、本発明を適用したウェアラブル機器として、腕に装着して携帯されるリスト型のウェアラブル機器１を例に挙げ図面を参照して説明する。
【００２４】
図１は、ウェアラブル機器１を含む数値情報表示システムの構成図である。
図１に示すように、数値情報表示システムは、ウェアラブル機器１と、ウェアラブル機器１が情報を取得する人工衛星２及びサーバー３と、を備える。人工衛星２及びサーバー３は、外部機器の一例である。ウェアラブル機器１は、人工衛星２から発信されるＧＰＳ電波を受信することによって、人工衛星２から情報を取得する。また、ウェアラブル機器１は、ネットワーク４を介してサーバー３と通信を行う。サーバー３は、地図データ１１及び最新の道路交通情報１２が保存され、ネットワーク４に接続されている。ネットワーク４は、例えば、インターネットやＬＡＮ（Local Area Network）であり、ウェアラブル機器１は、ＷＩ−ＦＩ（登録商標）通信、Ｂｌｕｅｔｏｏｔｈ（登録商標）通信などにより、ネットワーク４にアクセスする。これにより、ウェアラブル機器１は、ネットワーク４を介してサーバー３と通信を行い、地図データ１１及び最新の道路交通情報１２の取得を行う。道路交通情報１２は、道路の混雑状況、事故情報、通行止め情報を含む。
【００２５】
図２は、ウェアラブル機器１の機能ブロック図である。
図２に示すように、ウェアラブル機器１は、測位部２３、センサー部２０、通信部２１、記憶部２２、出力部２６、および入力部２４の各機能部と制御部２５とを備える。
測位部２３は、ユーザーの現在位置を測定し、センサー部２０は、ユーザーが実施する運動に関する運動データを取得する。通信部２１は、サーバー３と通信し、記憶部２２は、分岐点の位置情報を含む地図データ１１及び最新の道路交通情報１２を記憶する。出力部２６は、数値情報を出力し、入力部２４は、外部からの指示（具体的には、ユーザーからの指示）を受け付ける。制御部２５は、測位部２３、センサー部２０、記憶部２２、出力部２６、及び入力部２４の各機能部を制御する。
【００２６】
測位部２３は、人工衛星２からのＧＰＳ電波を受信し、ＧＰＳ電波に重畳されたＧＰＳ信号から、ウェアラブル機器１の現在位置、高度を算出し、ＧＰＳ情報として制御部２５に送信する。制御部２５は、測位部２３によって取得されたＧＰＳ情報を記憶部２２に保存する。ＧＰＳ情報は、定期的に取得されてもよいし、必要に応じて適宜取得されてもよい。測位部２３は、少なくともＧＰＳ衛星からのＧＰＳ電波を受信するアンテナを含む。
【００２７】
センサー部２０は、ユーザーが実施した運動から、少なくとも加速度、心拍を含む運動データを測定する。運動データとは、加速度や心拍など、センサー部２０が測定した加工前のデータのことを指す。運動データは、定期的に取得されてもよいし、過去に保存されているデータを記憶部２２から取得してもよい。取得された運動データは、現時点までの運動情報として、心拍ゾーン、移動速度、及びペースなどの形に加工されて、記憶部２２に保存される。センサー部２０は、少なくとも加速度センサー、心拍センサーを含む。
【００２８】
通信部２１は、ネットワーク４を介してサーバー３と通信を行う。通信部２１は、サーバー３から地図データ１１及び最新の道路交通情報１２を含む周辺情報を取得する。通信部２１は、測位部２３で取得したＧＰＳ情報から現在位置を特定し、特定された現在位置を含む周辺情報としての地図データ１１及び道路交通情報１２をサーバー３から取得する。道路交通情報１２は、例えばＶＩＣＳ（登録商標）（Vehicle Information Communication System）などの道路交通情報システムから取得されサーバー３に保持されている。通信部２１によって取得された周辺情報は、記憶部２２に保存される。周辺情報は、定期的に取得されてもよいし、必要に応じて適宜取得されてもよい。通信部２１は、ＷＩ−ＦＩ通信、Ｂｌｕｅｔｏｏｔｈ通信などの機能を実装した通信モジュールである。
【００２９】
記憶部２２は、少なくとも測位部２３によって取得されたＧＰＳ情報と、センサー部２０によって取得された運動データと、通信部２１によって取得された周辺情報と、を記憶する。記憶部２２は、例えば書き込み可能な不揮発性の記録媒体で構成される。
【００３０】
制御部２５は、ＣＰＵ（Central Processing Unit）と、ＲＯＭ（Read Only Memory）およびＲＡＭ（Random Access Memory）のメモリーと、を含む。ＣＰＵは、ＲＡＭをワーキングエリアとして、ＲＯＭに予め記憶されている制御プログラムを実行することにより、制御部２５と接続されている各機能部を制御する。制御部２５は、記憶部２２に記憶された、現時点までの運動情報と現時点以降の道路の勾配に関する勾配情報とに基づいて、現時点以降の運動情報を示す数値情報を算出する（詳細は、後述）。
【００３１】
出力部２６は、例えば液晶パネル、電気泳動ディスプレイ（EPD）などの、文字及び画像を表示することができる表示パネルを備える表示装置である。出力部２６（以下、ディスプレイ２６と称する）は、制御部２５によって算出された数値情報を表示する。
【００３２】
入力部２４は例えばプッシュスイッチ、タッチパネルなどの入力ボタンを有し、ユーザーによって操作された入力ボタンに対応する入力信号を制御部２５へ送出する。本実施形態では、特に、入力部２４は、ウェアラブル機器１の運動開始、終了の操作を受け付ける。
【００３３】
次に、制御部２５によって算出された数値情報を表示により外部に知らせる方法について、図面を参照して説明する。
図３は、ウェアラブル機器１の表示例を示す図である。ウェアラブル機器１は、ディスプレイ２６（出力部２６）を備える。以下、分岐点の分岐数が２つの場合を例に挙げて説明する。
【００３４】
ディスプレイ２６には、区切り線３７が表示される。区切り線３７は、ディスプレイ２６の表示エリアを半円状に分けるように表示エリアを縦断して表示される。区切り線３７が引かれることによって、ディスプレイ２６の表示エリアは、数値情報表示エリア４０，４１に分けられる。
【００３５】
数値情報表示エリア４０，４１は、数値情報としての数値情報グラフ３５，３６と矢印３３，３４とを表示する。矢印３３，３４と数値情報グラフ３５，３６とは、それぞれ区切り線３７を超えて数値情報表示エリア４０，４１をまたがないように表示される。
【００３６】
矢印３３，３４は、分岐点からの進行方向を表し、分岐点の分岐方向に傾けて表示される。分岐方向とは、分岐点の第１の方向及び第１の方向とは異なる第２の方向である。具体的には、図３は、ウェアラブル機器１を正面視したときに、分岐方向の第１の方向として右斜め前方、第２の方向として左斜め前方の場合の表示例である。そのため、矢印３３は右斜め前方を、矢印３４は左斜め前方を示す方向に傾いて表示される。
【００３７】
数値情報グラフ３５（第１の数値情報の例）及び数値情報グラフ３６（第２の数値情報の例）は、例として、運動強度、車通りの多さ（道路の混雑状況）を数値化したものである（詳細は、後述）。数値情報グラフ３５，３６は少なくとも１つ以上のパラメーター（情報）を持つ。数値情報グラフ３５，３６は、例えばそれぞれ棒グラフ形式で表示される。ユーザーは、数値情報表示エリア４０，４１に表示された数値情報グラフ３５，３６を見比べ、どちらかのルートに進むのが適切か選択できる。ユーザーが、数値情報グラフ３５が示すルートを選択したいときは、矢印３３の方向へ進む。同様に、数値情報グラフ３６が示すルートを選択したいときは矢印３４の方向へ進む。
【００３８】
次に、ウェアラブル機器１の制御（動作）について、図面を参照して説明する。
図４Ａは、ウェアラブル機器１の制御を示すフローチャートである。
【００３９】
図４Ａに示すように、ウェアラブル機器１において、制御部２５は、入力部２４を介して運動開始の指示を受け付けると（ステップＳ０１）、測位部２３を制御して、人工衛星２から発信されているＧＰＳ電波を受信すると共に、センサー部２０を制御して、定期的に運動データの取得を開始する（ステップＳ０２）。測位部２３は、ＧＰＳ電波からウェアラブル機器１の現在位置、高度を算出して（ステップＳ０３）、ＧＰＳ情報として制御部２５に送り、制御部２５は、ＧＰＳ情報を記憶部２２に保存する（ステップＳ０４）。
【００４０】
制御部２５は、通信部２１を介して、測位部２３で算出した現在位置を含む地図データ１１及び最新の道路交通情報１２の送信（周辺情報の送信）をサーバー３に要求する（ステップＳ０５）。続いて、制御部２５は、要求に基づいてサーバー３から送信される周辺情報を、通信部２１を介して受信し（ステップＳ０６）、記憶部２２に保存する（ステップＳ０７）。
【００４１】
センサー部２０は、制御部２５がステップＳ０１において運動開始の指示を受け付けた以降、制御部２５の制御に基づいて定期的に運動データを取得している。制御部２５は、定期的に取得された運動データに基づいて現時点までの運動情報を算出し（ステップＳ０８）、記憶部２２に保存する（ステップＳ０９）。
【００４２】
続いて、図４Ｂに示すように、制御部２５は、地図データ１１に基づいて、現在位置と進行方向に位置する分岐点との距離を算出する（ステップＳ１０）。また、制御部２５は、現時点までの運動情報及び現時点以降の道路の勾配に関する勾配情報から、現時点以降の運動情報を含む数値情報を算出する（ステップＳ１１）。数値情報は、例えば運動強度、車通りの多さなどが含まれるパラメーターを数値化したものである。例として、運動強度をパラメーターとして数値情報の算出を行った場合、あるルートを選択すると現時点以降の勾配率が現時点より高くなるとき、進行方向は登りになるため、数値情報は高い値で算出される。このようにして、制御部２５は、分岐点の分岐数に基づいて、分岐方向毎にそれぞれの数値情報の算出を行う（ステップＳ１２）。現時点以降の運動情報を含む数値情報を計算する距離の範囲は、あらかじめ入力部２４から設定され、随時変更を受け付ける。
【００４３】
制御部２５は、ステップＳ０３において算出した現在位置と進行方向に位置する分岐点との距離が所定の距離以下になったかを判断する（ステップＳ１３）。その結果、当該距離が所定の距離以下と判断した場合（ステップＳ１３のＹＥＳ）、制御部２５は、ディスプレイ２６に、図３に示すように、分岐点の分岐方向を示す矢印３３，３４、数値情報グラフ３５，３６、及び区切り線３７を表示する（ステップＳ１４）。一方、現在位置と進行方向に位置する分岐点との距離が所定の距離以下でないと判断した場合（ステップＳ１３のＮＯ）、制御部２５は、ステップＳ０２へ戻って処理を継続する。
【００４４】
続いて、制御部２５は、現在位置と進行方向に位置する分岐点との距離が所定の距離以上になったかを判断する（ステップＳ１５）。その結果、当該距離が所定の距離以上と判断した場合（ステップＳ１５のＹＥＳ）、制御部２５は、ディスプレイ２６に表示されている、分岐点の分岐方向を示す矢印３３，３４、数値情報グラフ３５，３６、及び区切り線３７を非表示にする（ステップＳ１６）。一方、現在位置と進行方向に位置する分岐点との距離が所定の距離以上でないと判断した場合（ステップＳ１５のＮＯ）、制御部２５は、ステップＳ１４で実行した表示を継続する。
【００４５】
制御部２５は、Ｓ０２からＳ１６の処理中に入力部２４からの運動終了の指示を受け付けていたか確認し（ステップＳ１７）、運動終了の指示を受け付けていた場合（ステップＳ１７のＹＥＳ）、処理を終了する。一方、指示を受け付けていなかった場合（ステップＳ１７のＮＯ）、制御部２５は、ステップＳ０２へ戻って処理を継続する。
【００４６】
以上述べたように、本実施形態に係るウェアラブル機器１によれば、以下の効果を得ることができる。
制御部２５は、分岐点における分岐方向毎にそれぞれの数値情報の算出を行い、数値情報をディスプレイ２６に表示してユーザーに知らせる。ここで、現時点以降の運動強度や車通りが多い場合は数値情報が高く表示され、逆の場合は数値情報が低く表示される。そのため、ユーザーは、ウェアラブル機器１を装着して運動を開始するとき、目的地をあらかじめ定めなくても、ディスプレイ２６から通知される矢印３３，３４及び数値情報グラフ３５，３６を元に、自分の目的に合った経路はどちらかを選ぶことができる。
【００４７】
なお、本発明は上述した実施形態に限定されず、本発明の主旨を逸脱しない範囲において、上述した実施形態に種々の変更や改良などを加えることが可能である。変形例を以下に述べる。なお、実施形態と同一の構成については同一の符号を付して再度の説明を省略する。
【００４８】
（変形例１）
上述の実施形態においては、ウェアラブル機器１の表示例として、矢印３３，３４、数値情報グラフ３５，３６、及び区切り線３７で分岐方向の数値情報を表示したが、他の表示形態とすることもできる。
図５は、ウェアラブル機器１の他の表示例を示す図である。図５に示す表示は、分岐方向の数値情報を表示する手段として、分岐方向に対応する数値情報表示エリア４０，４１を色分けして数値情報の表示を行う表示例である。
具体的には、制御部２５は、第１の方向及び第２の方向のそれぞれの数値情報から、同じパラメーターの数値の大小を比較する。入力部２４は、比較を行うパラメーターの選択を受け付ける。例えば、入力部２４で選択されたパラメーターの数値が比較された結果、右の経路（図５を正面視したときに右側の分岐方向）が左の経路よりも数値が高い場合、制御部２５は、数値情報表示エリア４０を赤色で着色して表示し、数値情報表示エリア４１を青色で着色して表示する。
これにより、ユーザーは、運動の最中にディスプレイ２６に表示されるグラフを注視することなく、表示される色情報のみで自分の目的に合った経路はどちらかを選ぶことができる。
【００４９】
（変形例２）
また、例えば、分岐点の分岐数が３つ以上の場合、ディスプレイ２６に区切り線３７を複数本表示することによって、ディスプレイ２６を３つ以上に分割して表示してもよい。
図６は、ウェアラブル機器１の他の表示例を示す図であり、分岐数が４つの場合にディスプレイ２６に表示される表示例である。この表示方法によれば、ディスプレイ２６には、分岐方向と同数の数値情報表示エリア５０，５１，５２，５３に分かれるように区切り線３７が複数本表示される。数値情報表示エリア５０，５１，５２，５３のそれぞれに、分岐方向を示す矢印４２，４３，４４，４５及び数値情報グラフ４６，４７，４８，４９が表示される。
これにより、分岐点の分岐方向が３つ以上のときも、ユーザーは自分の目的に合った経路を選ぶことができる。
【００５０】
（変形例３）
また、上述の実施形態において、ウェアラブル機器１は、あらかじめ入力部２４によって与えられた条件を満たしたら、ユーザーの指示を受けずに制御（動作）を終了するようにしてもよい。
図７は、ウェアラブル機器１の制御を示すフローチャートであり、特にユーザーの指示を受けずに制御（動作）を終了する場合の制御を示すフローチャートである。図７に示すように、例えば、あらかじめ入力部２４によって与えられた条件が運動開始からの移動距離である場合、制御部２５は、運動開始からの移動距離が所定の距離以上になったかを判断する（ステップＳ１８）。その結果、運動開始からの移動距離が所定の距離以上であると判断した場合（ステップＳ１８のＹＥＳ）、制御部２５は、ウェアラブル機器１の制御（動作）を終了する。一方、運動開始からの移動距離が所定の距離以上でないと判断した場合（ステップＳ１８のＮＯ）、制御部２５は、ステップＳ０２に戻って処理を継続する。
これにより、ユーザーは、目的の運動効果が得られたとき、入力部２４を操作することなく運動を終了させることができる。
【符号の説明】
【００５１】
１…ウェアラブル機器、２…人工衛星、３…サーバー、４…ネットワーク、１１…地図データ、１２…道路交通情報、２０…センサー部、２１…通信部、２２…記憶部、２３…測位部、２４…入力部、２５…制御部、２６…出力部（ディスプレイ）、３３，３４，４２，４３，４４，４５…矢印、３５，３６，４６，４７，４８，４９…数値情報グラフ、３７…区切り線、４０，４１，５０，５１，５２，５３…数値情報表示エリア。
【図１】
2019117492.tif 000003
【図２】
2019117492.tif 000004
【図３】
2019117492.tif 000005
【図４Ａ】
2019117492.tif 000006
【図４Ｂ】
2019117492.tif 000007
【図５】
2019117492.tif 000008
【図６】
2019117492.tif 000009
【図７】
2019117492.tif 000010